(57)【要約】【課題】  集合玄関機において、着荷などの情報が認識しやすい表示部を設けることを目的とする。【解決手段】  集合玄関機において、集合玄関機本体の盤面に絵文字表示部９を設けたことを特徴とするものである。  絵文字表示部には、、宅配にかかわる絵文字と、解錠にかかわる絵文字が設けられる。「宅配」の絵文字は、宅配ロッカーに自分宛の配達物がある時に、点灯表示され、「解錠」の絵文字は、オートドアの施錠が解かれる時に、点灯表示される。【選択図】図１
2006287611.tif 000002
【特許請求の範囲】
【請求項１】
制御装置を介して住宅情報盤と接続され、該住宅情報盤を呼び出す集合玄関機において、
集合玄関機本体の盤面に絵文字表示部を設けたことを特徴とする集合玄関機。
【請求項２】
前記絵文字表示部に、宅配にかかわる絵文字を設け、宅配ロッカーに自分宛の配達物がある時に、該宅配にかかわる絵文字を表示することを特徴とする請求項１記載の集合玄関機。
【請求項３】
前記絵文字表示部に、解錠にかかわる絵文字を設け、オートドアの施錠が解かれる時に、該解錠にかかわる絵文字を表示することを特徴とする請求項１記載の集合玄関機。
【請求項４】
前記オートドアは、解錠信号受信時に、施錠だけが解かれ扉が開放しないタイプであることを特徴とする請求項３記載の集合玄関機。
【発明の詳細な説明】
【技術分野】
【０００１】
本発明は、集合玄関機に関するものである。
【背景技術】
【０００２】
集合住宅であるマンションの集合玄関には集合玄関機が設けられる。この集合玄関機は、制御装置を介して各住戸に設置された住宅情報盤と接続されており、住戸番号を入力して呼出釦を押すことで、所望の住宅情報盤を呼び出すことが可能である。
【０００３】
図３は、集合玄関機を備えたインターホンのシステム図であり、この図面を使用して従来のインターホンシステムについて説明する。この集合住宅用インターホンシステムは、集合玄関機７１と、集合住宅の複数の住戸内にそれぞれ設置された住宅情報盤としての居室機８１、８２、・・・と、集合住宅の居住者が不在時に配達物を受け取るためにエントランスの近傍に設置された宅配ロッカー９１、９２と、集合玄関機７１、居室機８１、８２、・・・および宅配ロッカー９１、９２を接続する幹線上に設置された制御装置としての制御機１０００とで構成されている。
【０００４】
集合玄関機７１は、集合玄関機マイク７１１、集合玄関機スピーカ７１２と共に、宅配ロッカー９１、９２に荷物が着荷されていることを知らせる宅配ロッカー着荷表示灯７１４と、非接触キーまたは磁気カード等で構成されるＩＤユニット１００１から送信されるＩＤデータｄ１００を読取可能のＩＤ読取器１００２とを備えている。このＩＤユニット１００１から送信されるＩＤデータｄ１００には、電気錠（図示せず）を解錠するためのＩＤ番号と共に部屋番号も含まれている。
【０００５】
居室機８１、８２、・・・は、何れも居室機マイクおよび居室機レシーバから成るハンドセット８１１、呼出用の居室機スピーカ８１２、情報表示モニタ８１３と共に、宅配ロッカー９１、９２に荷物が着荷されていることを知らせる宅配ロッカー着荷表示灯８１４を備えている。宅配ロッカー９１、９２は、何れも運送会社等の宅配担当者が配達物をロッカーに入れた後、その配達物の届け先である部屋番号を入力するためのキーボード９１１を備えている。
【０００６】
また、集合玄関機７１は幹線Ｌ７１、２台の宅配ロッカー９１、９２は幹線Ｌ９１、Ｌ９２を介してそれぞれ制御機１０００に接続され、複数の居室機８１、８２、・・・は幹線Ｌ８１にバス接続されて制御機１０００に接続されている。さらに、集合玄関機７１が備えたＩＤ読取器１００２は幹線Ｌ７１１を介して受信器１００３に接続され、この受信器１００３は幹線Ｌ７１２を介して制御機１０００に接続されている。
【０００７】
このような集合住宅用インターホンシステムにおいて、宅配担当者が配達すべき居住者が不在の場合、この宅配担当者はその配達物を例えば宅配ロッカー９１に入れ、キーボード９１１を用いて届け先の部屋番号を入力し、当該宅配ロッカー９１を閉じる。宅配ロッカー９１は自動的に施錠されると共に、届け先の部屋番号・宅配着荷信号Ｓ９１を制御機１０００に送信する。
【０００８】
この制御機１０００に部屋番号・宅配着荷信号Ｓ９１が入力されている状態において、居住者が帰宅し、集合玄関機７１の電気錠（図示せず）を解錠するために、当該集合玄関機７１のＩＤ読取器１００２に向かってＩＤユニット１００１でＩＤデータｄ１００を送信すると、ＩＤ読取器１００２はＩＤデータｄ１００を読取り受信器１００３を介して制御機１０００に送出する。この際、宅配ロッカー９１に配達物が着荷しているので、制御機１０００はＩＤユニット１００１から送信されたＩＤデータｄ１００の部屋番号情報と、宅配ロッカー９１から送信された部屋番号・宅配着荷信号Ｓ９１の部屋番号情報とを照合し、一致していたら、集合玄関機７１の宅配ロッカー着荷表示灯７１４を点灯させ、帰宅した居住者に対し、集合玄関において受け取るべき配達物があることを知らせる。また、制御機１０００は、集合住宅内のすべての居室機８１、８２、・・・に対しても部屋番号・宅配着荷信号Ｓ９１を送出する。これら居室機８１、８２、・・・のうち、例えば居室機８１の設定されている部屋番号が部屋番号・宅配着荷信号Ｓ９１と一致している場合は、当該居室機８１の宅配ロッカー着荷表示灯８１４を点灯させ、居室内においても居住者に対し受け取るべき配達物があることを知らせることができる。この図２で示したシステムの他の従来例として、特許文献１に記載した集合玄関機がある。
【特許文献１】特開２００２−３６７７２号公報
【発明の開示】
【発明が解決しようとする課題】
【０００９】
しかしながら、このような従来の集合住宅用インターホンシステムでは、集合玄関機および居室機の何れにおいても、ランプの点灯によって宅配ロッカーの着荷を知らせるようになっているので、視認性が悪く、その着荷表示に気付きにくい。このため、注意しないと、着荷表示に気付かずに、長期間、宅配ロッカーに荷物が滞留してしまう恐れもある。      
【００１０】
そこで、本発明は、着荷などの情報が認識しやすい表示部を設けることを目的とする。
【課題を解決するための手段】
【００１１】
本発明は以上の課題を解決するためになされたもので、制御装置を介して住宅情報盤と接続され、該住宅情報盤を呼び出す集合玄関機において、集合玄関機本体の盤面に絵文字表示部を設けたことを特徴とするものである。また、絵文字表示部に、宅配にかかわる絵文字を設け、宅配ロッカーに自分宛の配達物がある時に、その宅配にかかわる絵文字を表示することを特徴とするものである。また、絵文字表示部に、解錠にかかわる絵文字を設け、オートドアの施錠が解かれる時に、その解錠にかかわる絵文字を表示することを特徴とするものである。
【発明の効果】
【００１２】
本発明では、集合玄関機本体の盤面に絵文字表示部を設け、何らかの情報を表示させる場合に、絵文字を表示させるので、集合玄関機を操作している人は、その情報を認識しやすい。特に、宅配ロッカーに自分宛の配達物がある場合には、従来の着荷ランプに代えて、宅配にかかわる絵文字を絵文字表示部に点灯表示させるので、集合玄関機を操作している人は、配達物が届いていることを確実に知ることができる。
【００１３】
また、オートドアの施錠が解かれる時に、解錠にかかわる絵文字を表示するようにしたので、オートドアが、解錠信号受信時に、施錠だけが解かれ扉が開放しないタイプである場合には、オートドアの施錠が解かれたことを確実に認識することができる。
【発明を実施するための最良の形態】
【００１４】
図１は本発明の集合玄関機の正面図である。集合玄関機１は、制御装置を介して住宅情報盤や宅配ロッカーと接続され、従来例の図２で示したものと同じ機能を有し、インターホンシステムにおいて、従来例と同様に動作する。
【００１５】
集合玄関機１の盤面には、スピーカ用の放音孔３，住戸番号を入力するためのテンキー５，非接触キーの読取器７が設けられる。テンキー５上部には、テンキー５で入力された住戸番号を表示する住戸番号表示部８が設けられ、その上には、絵文字表示部９が設けられている。
【００１６】
絵文字表示部９は、集合玄関機１の表面に取り付けられる透明のアクリル板の裏面側にシルクスクリーンなどで絵文字を印刷するように施してある。絵文字は、文字と、その文字の内容を示す絵文字とから構成されている。図２に絵文字表示部９に設けられる２つの絵文字の拡大図を示す。左側の絵文字は、「宅配」に係わる絵文字で、配達人が荷物を抱えている状態を示した絵文字である。
【００１７】
図２の右側の絵文字は、「解錠」に係わる絵文字で、集合玄関のオートドアが開いて、人が入館できる状態を示した絵文字である。この「解錠」に係わる絵文字は、非接触キーを読取器にかざしたり、住戸側からの解錠信号によって、図示しないオートドアが開かれる時、又はオートドアの施錠が解かれる時に、表示される。なお、集合玄関機１の本体内において、絵文字表示部９と対向する位置には、発光素子が設けられ、必要時に発光して、絵文字部分を点灯表示させるようになっている。
【００１８】
このように構成される集合玄関機１において、絵文字表示部９が表示される動作について説明する。まず、宅配ロッカーに配達物が入れられている場合について説明する。この場合において、住戸の居住者が非接触キーを集合玄関機１の読取器７にかざすと、非接触器キーからのＩＤ情報（住戸番号を含んだ情報）と、制御装置で宅配ロッカーから受信している宅配着荷信号が照合される。ここで、宅配ロッカーに自分宛の配達物が入っている場合には、集合玄関機１の図示しない発光素子が発光して、絵文字表示部９の「宅配」にかかわる絵文字が点灯表示される。このため、
集合玄関機１の操作者は、配達物が届いていることを確実に知ることができる。
【００１９】
続いて、「解錠」の絵文字について、ある住戸に住む居住者の友人が訪問者として尋ねてくる場合を例に説明する。訪問者は、集合玄関機１のテンキー５を操作して、訪問する住戸の住戸番号を入力して、呼出釦を押して、所望の住宅情報盤を呼び出す。この際、集合玄関機にあるカメラが訪問者を撮像し、住宅情報盤に映像が送られる。住宅情報盤側で、モニタに映った訪問者が友人であると識別したら、住宅情報盤の解錠釦を押して、解錠信号を出力し、オートドアを開放する。この際、オートドアの開放の際、集合玄関機１の図示しない発光素子が発光して、絵文字表示部９の「解錠」にかかわる絵文字が点灯表示される。このため、訪問者は、オートドアが解錠されたことを確実に知ることができる。なお、オートドアには、解錠時（解錠信号受信時）、扉が開放するタイプと、施錠だけが解かれ扉が開放しないタイプがある。本実施形態における「解錠」の絵文字は、オートドアの扉が開放しないタイプの時に、非常に効果的である。なお、絵文字表示部９は、住戸番号表示部８のすぐ上に設けてあるので、訪問者はテンキー５で住戸番号を入力している時、住戸番号表示部８を注視しているので、「解錠」の絵文字が表示されるのに気付きやすい。
【００２０】
本実施の形態においては、「宅配」と「解錠」にかかわる絵文字を絵文字表示部に設けた場合について説明したが、それ以外の絵文字を設けてもよい。例えば居住者が留守の時に、訪問者が訪れた場合に、録音メッセージなどを残している場合には、「留守録」又は「訪問履歴」などの絵文字を表示させてもよい。ここで「訪問履歴」とは、自分の留守の間に来た訪問客の名前や画像を表示するものである。
【００２１】
このように、集合玄関機の操作者に対して、何らかの表示すべき情報がある場合には、絵文字を表示させて、視認性を高めているので、集合玄関機を操作している人は、その情報を認識しやすい。
【図面の簡単な説明】
【００２２】
【図１】本発明の集合玄関機の正面図である。
【図２】絵文字表示部の絵文字の拡大図である。
【図３】従来のインターホンシステムのシステム図である。
【符号の説明】
【００２３】
１  集合玄関機、  ３  放音孔、５  テンキー  ７  読取器、
８  住戸番号表示部、  ９  絵文字表示部、
【図１】
2006287611.tif 000003
【図２】
2006287611.tif 000004
【図３】
2006287611.tif 000005